(57)【特許請求の範囲】
【請求項１】
回転機構により左右方向の軸回りに回転する表示パネルと、
回転機構により左右方向の軸回りに回転し前記表示パネルに向けて照明光を出射する第１の光源及び第２の光源を備える発光手段と、
前記表示パネルに、観察者が右目で観察するための右目用画像データと左目で観察するための左目用画像データとを交互に出力する画像出力手段と、
前記画像出力手段が前記表示パネルに出力する画像データを右目用画像データに切り替えるタイミングに同期して前記第１の光源を点灯させ、前記画像出力手段が前記表示パネルに出力する画像データを左目用画像データに切り替えるタイミングに同期して前記第２の光源を点灯させる第１の光源制御、又は、前記画像出力手段が前記表示パネルに出力する画像データを右目用画像データに切り替えるタイミングに同期して前記第２の光源を点灯させ、前記画像出力手段が前記表示パネルに出力する画像データを左目用画像データに切り替えるタイミングに同期して前記第１の光源を点灯させる第２の光源制御を行い、前記表示パネル及び前記発光手段の回転を検出する検出手段により前記表示パネル及び前記発光手段の回転が検出された場合に、前記第１の光源制御と前記第２の光源制御を切り替える制御手段と、
前記表示パネルに出力される画像データを補正する画像補正手段と、
前記第１の光源の発光特性と前記第２の光源の発光特性に基づき左目用画像と右目用画像の表示特性のずれを抑制する画質の調整を行うための前記第１の光源に対応する調整値及び前記第２の光源に対応する調整値を記憶する記憶手段と、
を備え、
前記画像補正手段は、前記制御手段が前記第１の光源を点灯させる場合、前記表示パネルに出力される画像データに対し前記第１の光源に対応する調整値に基づく補正を行い、前記制御手段が前記第２の光源を点灯させる場合、前記表示パネルに出力される画像データに対し前記第２の光源に対応する調整値に基づく補正を行う画像表示装置。
【請求項２】
前記発光手段は、
前記第１の光源が、前記表示パネルに向かって右方向に出射光強度のピークが存在する指向性をもった第１の照明光を前記表示パネルに向けて出射し、
前記第２の光源が、前記表示パネルに向かって左方向に出射光強度のピークが存在する
指向性をもった第２の照明光を前記表示パネルに向けて出射するよう構成される請求項１に記載の画像表示装置。
【請求項３】
前記画像出力手段は、偶数フィールドが右目用画像又は左目用画像の一方、奇数フィールドが右目用画像又は左目用画像の他方である画像データを前記表示パネルに出力し、
前記画像出力手段が前記表示パネルに出力する画像データが偶数フィールド又は奇数フィールドのいずれであるかを判別する判別手段を更に備え、
前記判別手段により判別されるフィールドが右目用画像のフィールドの場合、前記制御手段は前記第１の光源を点灯させ、前記画像補正手段は右目用画像データに対し前記第１の光源の発光特性に基づく補正を行い、
前記判別手段により判別されるフィールドが左目用画像のフィールドの場合、前記制御手段は前記第２の光源を点灯させ、前記画像補正手段は左目用画像データに対し前記第２の光源の発光特性に基づく補正を行う、請求項２に記載の画像表示装置。
【請求項４】
前記表示パネル及び前記発光手段を左右方向の軸周りに回転させる回転機構と、
前記表示パネル及び前記発光手段の左右方向の軸周りの回転位置が所定の正転位置と前記正転位置に対し１８０度回転した反転位置とのいずれであるかを検出する検出手段と、を備え、
前記画像出力手段は、前記表示パネル及び前記発光手段の回転位置が反転位置の場合、前記表示パネル及び前記発光手段の回転位置が正転位置の場合に前記表示パネルに出力する画像データに対し上下方向及び左右方向を反転させた画像データを前記表示パネルに出力し、
前記発光手段は、回転位置が正転位置の場合、第１の光源が第１の照明光を出射し、第２の光源が第２の照明光を出射し、回転位置が反転位置の場合、第１の光源が第２の照明光を出射し、第２の光源が第１の照明光を出射するよう構成され、
前記発光手段の回転位置が正転位置であることが前記検出手段により検出された場合、
前記画像出力手段が前記表示パネルに出力する画像データを右目用画像データに切り替えるタイミングに同期して、前記制御手段は、第１の光源を点灯させ、前記画像補正手段は、右目用画像データに対し第１の光源の発光特性に基づく補正を行い、
前記画像出力手段が前記表示パネルに出力する画像データを左目用画像データに切り替えるタイミングに同期して、前記制御手段は、第２の光源を点灯させ、前記画像補正手段は、左目用画像データに対し第２の光源の発光特性に基づく補正を行い、
前記発光手段の回転位置が反転位置であることが前記検出手段により検出された場合、
前記画像出力手段が前記表示パネルに出力する画像データを右目用画像データに切り替えるタイミングに同期して、前記制御手段は、第２の光源を点灯させ、前記画像補正手段は、右目用画像データに対し第２の光源の発光特性に基づく補正を行い、
前記画像出力手段が前記表示パネルに出力する画像データを左目用画像データに切り替えるタイミングに同期して、前記制御手段は、第１の光源を点灯させ、前記画像補正手段は、左目用画像データに対し第１の光源の発光特性に基づく補正を行う、請求項２又は３に記載の画像表示装置。
【請求項５】
前記画像補正手段は、前記表示パネルに出力される画像データに対し、ホワイトバランスの補正を行う請求項１〜４のいずれか１項に記載の画像表示装置。
【請求項６】
回転機構により左右方向の軸回りに回転する表示パネルと、
回転機構により左右方向の軸回りに回転し前記表示パネルに向けて照明光を出射する第１の光源及び第２の光源を備える発光手段と、
記憶手段と、
を備えた画像表示装置の制御方法であって、
前記表示パネルに、観察者が右目で観察するための右目用画像データと左目で観察する
ための左目用画像データとを交互に出力する画像出力工程と、
前記画像出力工程で前記表示パネルに出力する画像データが右目用画像データに切り替えられるタイミングに同期して前記第１の光源を点灯させ、前記画像出力工程で前記表示パネルに出力する画像データが左目用画像データに切り替えられるタイミングに同期して前記第２の光源を点灯させる第１の光源制御、又は、前記画像出力工程で前記表示パネルに出力する画像データを右目用画像データに切り替えるタイミングに同期して前記第２の光源を点灯させ、前記画像出力工程で前記表示パネルに出力する画像データを左目用画像データに切り替えるタイミングに同期して前記第１の光源を点灯させる第２の光源制御を行い、前記表示パネル及び前記発光手段の回転を検出する検出手段により前記表示パネル及び前記発光手段の回転が検出された場合に、前記第１の光源制御と前記第２の光源制御を切り替える制御工程と、
前記表示パネルに出力される画像データを補正する画像補正工程と、
前記記憶手段に記憶された、前記第１の光源の発光特性と前記第２の光源の発光特性に基づき左目用画像と右目用画像の表示特性のずれを抑制する画質の調整を行うための前記第１の光源に対応する調整値及び前記第２の光源に対応する調整値を取得する工程と、
を有し、
前記画像補正工程では、前記制御工程で前記第１の光源が点灯する場合、前記表示パネルに出力される画像データに対し前記第１の光源に対応する調整値に基づく補正を行い、前記制御工程で前記第２の光源が点灯する場合、前記表示パネルに出力される画像データに対し前記第２の光源に対応する調整値に基づく補正を行う画像表示装置の制御方法。
【請求項７】
前記発光手段は、
前記第１の光源が、前記表示パネルに向かって右方向に出射光強度のピークが存在する指向性をもった第１の照明光を前記表示パネルに向けて出射し、
前記第２の光源が、前記表示パネルに向かって左方向に出射光強度のピークが存在する指向性をもった第２の照明光を前記表示パネルに向けて出射するよう構成される請求項６に記載の画像表示装置の制御方法。
【請求項８】
前記画像出力工程では、偶数フィールドが右目用画像又は左目用画像の一方、奇数フィールドが右目用画像又は左目用画像の他方である画像データを前記表示パネルに出力し、
前記画像出力工程で前記表示パネルに出力する画像データが偶数フィールド又は奇数フィールドのいずれであるかを判別する判別工程を更に有し、
前記判別工程により判別されるフィールドが右目用画像のフィールドの場合、前記制御工程では前記第１の光源を点灯させ、前記画像補正工程では右目用画像データに対し前記第１の光源の発光特性に基づく補正を行い、
前記判別工程により判別されるフィールドが左目用画像のフィールドの場合、前記制御工程では前記第２の光源を点灯させ、前記画像補正工程では左目用画像データに対し前記第２の光源の発光特性に基づく補正を行う、請求項７に記載の画像表示装置の制御方法。
【請求項９】
前記画像表示装置は、前記表示パネル及び前記発光手段を左右方向の軸周りに回転させる回転機構を備え、
前記画像表示装置の制御方法は、前記表示パネル及び前記発光手段の左右方向の軸周りの回転位置が所定の正転位置と前記正転位置に対し１８０度回転した反転位置とのいずれであるかを検出する検出工程を更に有し、
前記画像出力工程では、前記表示パネル及び前記発光手段の回転位置が反転位置の場合、前記表示パネル及び前記発光手段の回転位置が正転位置の場合に前記表示パネルに出力する画像データに対し上下方向及び左右方向を反転させた画像データを前記表示パネルに出力し、
前記発光手段は、回転位置が正転位置の場合、第１の光源が第１の照明光を出射し、第２の光源が第２の照明光を出射し、回転位置が反転位置の場合、第１の光源が第２の照明
光を出射し、第２の光源が第１の照明光を出射するよう構成され、
前記発光手段の回転位置が正転位置であることが前記検出工程により検出された場合、
前記画像出力工程で前記表示パネルに出力する画像データを右目用画像データに切り替えるタイミングに同期して、前記制御工程では、第１の光源を点灯させ、前記画像補正工程では、右目用画像データに対し第１の光源の発光特性に基づく補正を行い、
前記画像出力工程で前記表示パネルに出力する画像データを左目用画像データに切り替えるタイミングに同期して、前記制御工程では、第２の光源を点灯させ、前記画像補正工程では、左目用画像データに対し第２の光源の発光特性に基づく補正を行い、
前記発光手段の回転位置が反転位置であることが前記検出工程により検出された場合、
前記画像出力工程で前記表示パネルに出力する画像データを右目用画像データに切り替えるタイミングに同期して、前記制御工程では、第２の光源を点灯させ、前記画像補正工程では、右目用画像データに対し第２の光源の発光特性に基づく補正を行い、
前記画像出力工程で前記表示パネルに出力する画像データを左目用画像データに切り替えるタイミングに同期して、前記制御工程では、第１の光源を点灯させ、前記画像補正工程では、左目用画像データに対し第１の光源の発光特性に基づく補正を行う、請求項７又は８に記載の画像表示装置の制御方法。
【請求項１０】
前記画像補正工程では、前記表示パネルに出力される画像データに対し、ホワイトバランスの補正を行う請求項６〜９のいずれか１項に記載の画像表示装置の制御方法。
【請求項１１】
表示パネルと、
前記表示パネルに向けて照明光を出射する第１の光源及び第２の光源を備える発光手段と、
前記表示パネルに、観察者が右目で観察するための右目用画像データと左目で観察するための左目用画像データとを交互に出力する画像出力手段と、
前記表示パネルに右目用画像データが出力されるときに前記第１の光源を点灯させ、前記表示パネルに左目用画像データが出力されるときに前記第２の光源を点灯させる第１の光源制御、又は、前記表示パネルに左目用画像データが出力されるときに前記第１の光源を点灯させ、前記表示パネルに右目用画像データが出力されるときに前記第２の光源を点灯させる第２の光源制御を行う制御手段と、
前記表示パネルに出力される画像データを補正する画像補正手段と、
前記第１の光源の発光特性と前記第２の光源の発光特性に基づき左目用画像と右目用画像の表示特性のずれを抑制する画質の調整を行うための前記第１の光源に対応する調整値及び前記第２の光源に対応する調整値を記憶する記憶手段と、
前記表示パネル及び前記発光手段を左右方向の軸周りに回転させる回転機構と、
前記表示パネル及び前記発光手段の回転を検出する検出手段と、
を備え、
前記制御手段は、前記検出手段により前記表示パネル及び前記発光手段の回転が検出された場合に、前記第１の光源制御と前記第２の光源制御を切り替え、
前記画像補正手段は、前記制御手段が前記第１の光源を点灯させる場合、前記表示パネルに出力される画像データに対し前記第１の光源に対応する調整値に基づく補正を行い、前記制御手段が前記第２の光源を点灯させる場合、前記表示パネルに出力される画像データに対し前記第２の光源に対応する調整値に基づく補正を行う画像表示装置。
【請求項１２】
表示パネルと、
前記表示パネルに向けて照明光を出射する第１の光源及び第２の光源を備える発光手段と、
前記表示パネルに、観察者が右目で観察するための右目用画像データからなる第１フィールドと左目で観察するための左目用画像データからなる第２フィールドとを交互に出力する画像出力手段と、
第１フィールドの出力時に前記第１の光源を点灯させ、第２フィールドの出力時に前記第２の光源を点灯させる第１の光源制御、又は、第１フィールドの出力時に前記第２の光源を点灯させ、第２フィールドの出力時に前記第１の光源を点灯させる第２の光源制御を行う制御手段と、
前記表示パネルに出力される画像データを補正する画像補正手段と、
前記第１の光源の発光特性と前記第２の光源の発光特性に基づき左目用画像と右目用画像の表示特性のずれを抑制する画質の調整を行うための前記第１の光源に対応する調整値及び前記第２の光源に対応する調整値を記憶する記憶手段と、
前記表示パネル及び前記発光手段を左右方向の軸周りに回転させる回転機構と、
前記表示パネル及び前記発光手段の回転を検出する検出手段と、
を備え、
前記制御手段は、前記検出手段により前記表示パネル及び前記発光手段の回転が検出された場合に、前記第１の光源制御と前記第２の光源制御を切り替え、
前記画像補正手段は、前記制御手段が前記第１の光源を点灯させる場合、前記表示パネルに出力される画像データに対し前記第１の光源に対応する調整値に基づく補正を行い、前記制御手段が前記第２の光源を点灯させる場合、前記表示パネルに出力される画像データに対し前記第２の光源に対応する調整値に基づく補正を行う画像表示装置。
【請求項１３】
表示パネルと、
前記表示パネルに向けて照明光を出射する第１の光源及び第２の光源を備える発光手段と、
記憶手段と、
前記表示パネル及び前記発光手段を左右方向の軸周りに回転させる回転機構と、
を備えた画像表示装置の制御方法であって、
前記表示パネルに、観察者が右目で観察するための右目用画像データと左目で観察するための左目用画像データとを交互に出力する画像出力工程と、
前記表示パネルに右目用画像データが出力されるときに前記第１の光源を点灯させ、前記表示パネルに左目用画像データが出力されるときに前記第２の光源を点灯させる第１の光源制御、又は、前記表示パネルに左目用画像データが出力されるときに前記第１の光源を点灯させ、前記表示パネルに右目用画像データが出力されるときに前記第２の光源を点灯させる第２の光源制御を行う制御工程と、
前記表示パネルに出力される画像データを補正する画像補正工程と、
前記記憶手段に記憶された、前記第１の光源の発光特性と前記第２の光源の発光特性に基づき左目用画像と右目用画像の表示特性のずれを抑制する画質の調整を行うための前記第１の光源に対応する調整値及び前記第２の光源に対応する調整値を取得する工程と、
前記表示パネル及び前記発光手段の回転を検出する検出工程と、
を有し、
前記制御工程では、前記検出工程により前記表示パネル及び前記発光手段の回転が検出された場合に、前記第１の光源制御と前記第２の光源制御を切り替え、
前記画像補正工程では、前記制御工程で前記第１の光源を点灯させる場合、前記表示パネルに出力される画像データに対し前記第１の光源に対応する調整値に基づく補正を行い、前記制御工程で前記第２の光源を点灯させる場合、前記表示パネルに出力される画像データに対し前記第２の光源に対応する調整値に基づく補正を行う画像表示装置の制御方法。
【請求項１４】
表示パネルと、
前記表示パネルに向けて照明光を出射する第１の光源及び第２の光源を備える発光手段と、
記憶手段と、
前記表示パネル及び前記発光手段を左右方向の軸周りに回転させる回転機構と、
を備えた画像表示装置の制御方法であって、
前記表示パネルに、観察者が右目で観察するための右目用画像データからなる第１フィールドと左目で観察するための左目用画像データからなる第２フィールドとを交互に出力する画像出力工程と、
第１フィールドの出力時に前記第１の光源を点灯させ、第２フィールドの出力時に前記第２の光源を点灯させる第１の光源制御、又は、第１フィールドの出力時に前記第２の光源を点灯させ、第２フィールドの出力時に前記第１の光源を点灯させる第２の光源制御を行う制御工程と、
前記表示パネルに出力される画像データを補正する画像補正工程と、
前記記憶手段に記憶された、前記第１の光源の発光特性と前記第２の光源の発光特性に基づき左目用画像と右目用画像の表示特性のずれを抑制する画質の調整を行うための前記第１の光源に対応する調整値及び前記第２の光源に対応する調整値を取得する工程と、
前記表示パネル及び前記発光手段の回転を検出する検出工程と、
を有し、
前記制御工程では、前記検出工程により前記表示パネル及び前記発光手段の回転が検出された場合に、前記第１の光源制御と前記第２の光源制御を切り替え、
前記画像補正工程では、前記制御工程で前記第１の光源を点灯させる場合、前記表示パネルに出力される画像データに対し前記第１の光源に対応する調整値に基づく補正を行い、前記制御工程で前記第２の光源を点灯させる場合、前記表示パネルに出力される画像データに対し前記第２の光源に対応する調整値に基づく補正を行う画像表示装置の制御方法。
【発明の詳細な説明】
【技術分野】
【０００１】
本発明は、画像表示装置及びその制御方法に関するものである。
【背景技術】
【０００２】
近年の立体映像の視認環境の普及に伴い、好適な立体映像の撮像装置が要求されている。人間は、右目において視認される像と、左目において視認される像とを脳が合成することによって、視認される物体を立体像として認識している。つまり、右目と左目とが異なる角度からその物体を視認することによる、右目において視認される像と、左目において視認される像との相違によって立体像としての認識が実現されている。
【０００３】
このため、立体映像の撮像装置は、一般的に左右の視差に応じた映像情報を各々記録する必要がある。また、立体映像を視認するためには、記録された左右の視差に応じた映像情報を、左右の目に対して各々独立して伝達する必要がある。
【０００４】
このため、右目用の視差を有した右目用映像と、左目用の視差を有した左目用映像と、から、観察者に立体映像を視認させる手段として以下に示す様々な液晶表示装置が提案されている。
【０００５】
立体映像を表示する液晶表示装置としては、従来、液晶パネルの１ライン置きの画素に左目用映像を、他の１ライン置きの画素に右目用映像を表示する方式（ライン・バイ・ライン表示方式）がある。その左目用映像と右目用映像とを観察者の左目と右目とにそれぞれ観察させる方式としては、レンチキュラーレンズ方式がある。これは、液晶パネルの左目用映像に割り当てられたラインの画素からの出射光と右目用映像に割り当てられたラインの画素からの出射光とを観察者の左目方向と右目方向とに指向させる方式である。あるいは、バララックスバリア方式がある。これは液晶パネルの画素ラインと平行な複数の透過部と遮光部が交互に並べられてストライプ状に形成されたパララックスバリアを介して観察者の左目と右目とに左目用映像と右目用映像とをそれぞれ観察させるようにした方式である。
【０００６】
しかしながら、従来の立体映像を表示する液晶表示装置は、液晶パネルの１ライン置きの画素により左目用映像を表示し、他の１ライン置きの画素により右目用映像を表示するため、両方の映像の縦方向の解像度が低い。そこで、解像度の高い立体映像を表示するために、例えば、特許文献１が開示されている。これは、右目用映像と左目用映像の表示切替えタイミングに同期して、時分割的に交互にバックライトの光を右目方向と左目方向とに振り分ける、バックライト時分割方式の立体映像表示装置である。
【０００７】
図６は、バックライト時分割方式の立体映像表示装置の一例であり、ＬＣＤパネルと、バックライトの側面図である。バックライトの発光素子は、右目用発光素子（第１のＬＥＤ）と左目用発光素子（第２のＬＥＤ）とが設けられ、それらは導光板を挟んで対向するように配置され、さらに、導光板の上面には指向性シートが配置されている。この指向性シートにより、右目用発光素子（第１のＬＥＤ）が点灯すると出射光強度のピークが右目方向に傾いた指向性を持つ（図６の実線矢印）。また、左目用発光素子（第２のＬＥＤ）が点灯すると出射光強度のピークが左目方向に傾いた指向性を持つ（図６の破線矢印）。
【０００８】
この立体映像表示装置では、ＬＣＤパネルに右目用映像と左目用映像を交互に表示させ（例えば１／６０秒毎）、右目用映像の表示時は右目用発光素子（第１のＬＥＤ）を点灯させ、左目用映像の表示時は左目用発光素子（第２のＬＥＤ）を点灯させる。これにより
、右目用映像と左目用映像を時間差をもって交互に観察者の右目と左目に視認させ、観察者に立体映像を視認させるようにしている。
【０００９】
図７（Ａ）は、バックライト時分割方式の立体映像表示装置における発光素子の点灯と偶数フィールド時に表示される映像（右目用映像）を表す図である。ここで、破線は立体映像として観察される映像を表しており、実線が右目用映像を表しており、右目用映像では被写体の右側面が表示される。右目用映像が表示されている時は、第１のＬＥＤが点灯し、第２のＬＥＤはオフされている。
【００１０】
図７（Ｂ）は、バックライト時分割方式の立体映像表示装置における発光素子の点灯と奇数フィールド時に表示される映像（左目用映像）を表す図である。ここで、破線は立体映像として観察される映像を表しており、実線が左目用映像を表しており、左目用映像では被写体の左側面が表示される。左目用映像が表示されている時は、第１のＬＥＤがオフし、第２のＬＥＤは点灯している。
【００１１】
図８は、バックライト時分割方式の立体映像表示装置における右目用及び左目用の各発光素子（第１ＬＥＤ、第２ＬＥＤ）の点灯タイミングと、ＬＣＤパネルに表示される映像（右目用映像又は左目用映像）との対応関係を表した図である。ここで、１フレーム目の偶数フィールドの映像は右目用映像であり、奇数フィールドの映像は左目用映像である。図８において、１Ｒは１フレーム目の右目用映像、１Ｌは１フレーム目の左目用映像を表す。偶数フィールド時には、映像は右目用が表示され、第１のＬＥＤが点灯し、奇数フィールド時には、映像は左目用が表示され、第２のＬＥＤが点灯している。
【００１２】
特許文献２には、直下型バックライトを備えた液晶表示装置において、輝度ムラ・色ムラを補正する技術が開示されている。
【先行技術文献】
【特許文献】
【００１３】
【特許文献１】特開２００５−０７７４７２号公報
【特許文献２】特開２００７−２８１６１２号公報
【発明の概要】
【発明が解決しようとする課題】
【００１４】
上記従来例では、第１のＬＥＤと第２のＬＥＤを時分割方式で交互に点灯させるため以下のような問題があった。すなわち、第１のＬＥＤと第２のＬＥＤにばらつきによる色度のずれが生じた場合、液晶パネルに表示される左目用映像と右目用映像の色度にずれが生じる。そのため、色がちらついたり、本来の色からずれた色で立体映像が表示されたりして、高画質な立体映像表示ができない場合がある。
【００１５】
本発明は上記課題に鑑み、左目用映像と右目用映像の色度ずれを抑え、高画質な立体映像表示を行うことができる画像表示装置及びその制御方法を提供することを目的とするものである。
【課題を解決するための手段】
【００１６】
本発明は、回転機構により左右方向の軸回りに回転する表示パネルと、
回転機構により左右方向の軸回りに回転し前記表示パネルに向けて照明光を出射する第１の光源及び第２の光源を備える発光手段と、
前記表示パネルに、観察者が右目で観察するための右目用画像データと左目で観察するための左目用画像データとを交互に出力する画像出力手段と、
前記画像出力手段が前記表示パネルに出力する画像データを右目用画像データに切り替えるタイミングに同期して前記第１の光源を点灯させ、前記画像出力手段が前記表示パネルに出力する画像データを左目用画像データに切り替えるタイミングに同期して前記第２の光源を点灯させる第１の光源制御、又は、前記画像出力手段が前記表示パネルに出力する画像データを右目用画像データに切り替えるタイミングに同期して前記第２の光源を点灯させ、前記画像出力手段が前記表示パネルに出力する画像データを左目用画像データに切り替えるタイミングに同期して前記第１の光源を点灯させる第２の光源制御を行い、前記表示パネル及び前記発光手段の回転を検出する検出手段により前記表示パネル及び前記発光手段の回転が検出された場合に、前記第１の光源制御と前記第２の光源制御を切り替える制御手段と、
前記表示パネルに出力される画像データを補正する画像補正手段と、
前記第１の光源の発光特性と前記第２の光源の発光特性に基づき左目用画像と右目用画像の表示特性のずれを抑制する画質の調整を行うための前記第１の光源に対応する調整値及び前記第２の光源に対応する調整値を記憶する記憶手段と、
を備え、
前記画像補正手段は、前記制御手段が前記第１の光源を点灯させる場合、前記表示パネ
ルに出力される画像データに対し前記第１の光源に対応する調整値に基づく補正を行い、前記制御手段が前記第２の光源を点灯させる場合、前記表示パネルに出力される画像データに対し前記第２の光源に対応する調整値に基づく補正を行う画像表示装置である。
本発明の１つの態様は、
表示パネルと、
前記表示パネルに向けて照明光を出射する第１の光源及び第２の光源を備える発光手段と、
前記表示パネルに、観察者が右目で観察するための右目用画像データと左目で観察するための左目用画像データとを交互に出力する画像出力手段と、
前記表示パネルに右目用画像データが出力されるときに前記第１の光源を点灯させ、前記表示パネルに左目用画像データが出力されるときに前記第２の光源を点灯させる第１の光源制御、又は、前記表示パネルに左目用画像データが出力されるときに前記第１の光源を点灯させ、前記表示パネルに右目用画像データが出力されるときに前記第２の光源を点灯させる第２の光源制御を行う制御手段と、
前記表示パネルに出力される画像データを補正する画像補正手段と、
前記第１の光源の発光特性と前記第２の光源の発光特性に基づき左目用画像と右目用画像の表示特性のずれを抑制する画質の調整を行うための前記第１の光源に対応する調整値及び前記第２の光源に対応する調整値を記憶する記憶手段と、
前記表示パネル及び前記発光手段を左右方向の軸周りに回転させる回転機構と、
前記表示パネル及び前記発光手段の回転を検出する検出手段と、
を備え、
前記制御手段は、前記検出手段により前記表示パネル及び前記発光手段の回転が検出された場合に、前記第１の光源制御と前記第２の光源制御を切り替え、
前記画像補正手段は、前記制御手段が前記第１の光源を点灯させる場合、前記表示パネルに出力される画像データに対し前記第１の光源に対応する調整値に基づく補正を行い、前記制御手段が前記第２の光源を点灯させる場合、前記表示パネルに出力される画像データに対し前記第２の光源に対応する調整値に基づく補正を行う画像表示装置である。
本発明の１つの態様は、
表示パネルと、
前記表示パネルに向けて照明光を出射する第１の光源及び第２の光源を備える発光手段と、
前記表示パネルに、観察者が右目で観察するための右目用画像データからなる第１フィールドと左目で観察するための左目用画像データからなる第２フィールドとを交互に出力する画像出力手段と、
第１フィールドの出力時に前記第１の光源を点灯させ、第２フィールドの出力時に前記第２の光源を点灯させる第１の光源制御、又は、第１フィールドの出力時に前記第２の光源を点灯させ、第２フィールドの出力時に前記第１の光源を点灯させる第２の光源制御を行う制御手段と、
前記表示パネルに出力される画像データを補正する画像補正手段と、
前記第１の光源の発光特性と前記第２の光源の発光特性に基づき左目用画像と右目用画像の表示特性のずれを抑制する画質の調整を行うための前記第１の光源に対応する調整値及び前記第２の光源に対応する調整値を記憶する記憶手段と、
前記表示パネル及び前記発光手段を左右方向の軸周りに回転させる回転機構と、
前記表示パネル及び前記発光手段の回転を検出する検出手段と、
を備え、
前記制御手段は、前記検出手段により前記表示パネル及び前記発光手段の回転が検出された場合に、前記第１の光源制御と前記第２の光源制御を切り替え、
前記画像補正手段は、前記制御手段が前記第１の光源を点灯させる場合、前記表示パネルに出力される画像データに対し前記第１の光源に対応する調整値に基づく補正を行い、前記制御手段が前記第２の光源を点灯させる場合、前記表示パネルに出力される画像デー
タに対し前記第２の光源に対応する調整値に基づく補正を行う画像表示装置である。
【００１７】
本発明は、回転機構により左右方向の軸回りに回転する表示パネルと、
回転機構により左右方向の軸回りに回転し前記表示パネルに向けて照明光を出射する第１の光源及び第２の光源を備える発光手段と、
記憶手段と、
を備えた画像表示装置の制御方法であって、
前記表示パネルに、観察者が右目で観察するための右目用画像データと左目で観察するための左目用画像データとを交互に出力する画像出力工程と、
前記画像出力工程で前記表示パネルに出力する画像データが右目用画像データに切り替えられるタイミングに同期して前記第１の光源を点灯させ、前記画像出力工程で前記表示パネルに出力する画像データが左目用画像データに切り替えられるタイミングに同期して前記第２の光源を点灯させる第１の光源制御、又は、前記画像出力工程で前記表示パネルに出力する画像データを右目用画像データに切り替えるタイミングに同期して前記第２の光源を点灯させ、前記画像出力工程で前記表示パネルに出力する画像データを左目用画像データに切り替えるタイミングに同期して前記第１の光源を点灯させる第２の光源制御を行い、前記表示パネル及び前記発光手段の回転を検出する検出手段により前記表示パネル及び前記発光手段の回転が検出された場合に、前記第１の光源制御と前記第２の光源制御を切り替える制御工程と、
前記表示パネルに出力される画像データを補正する画像補正工程と、
前記記憶手段に記憶された、前記第１の光源の発光特性と前記第２の光源の発光特性に基づき左目用画像と右目用画像の表示特性のずれを抑制する画質の調整を行うための前記第１の光源に対応する調整値及び前記第２の光源に対応する調整値を取得する工程と、
を有し、
前記画像補正工程では、前記制御工程で前記第１の光源が点灯する場合、前記表示パネルに出力される画像データに対し前記第１の光源に対応する調整値に基づく補正を行い、前記制御工程で前記第２の光源が点灯する場合、前記表示パネルに出力される画像データに対し前記第２の光源に対応する調整値に基づく補正を行う画像表示装置の制御方法である。
本発明の１つの態様は、
表示パネルと、
前記表示パネルに向けて照明光を出射する第１の光源及び第２の光源を備える発光手段と、
記憶手段と、
前記表示パネル及び前記発光手段を左右方向の軸周りに回転させる回転機構と、
を備えた画像表示装置の制御方法であって、
前記表示パネルに、観察者が右目で観察するための右目用画像データと左目で観察するための左目用画像データとを交互に出力する画像出力工程と、
前記表示パネルに右目用画像データが出力されるときに前記第１の光源を点灯させ、前記表示パネルに左目用画像データが出力されるときに前記第２の光源を点灯させる第１の光源制御、又は、前記表示パネルに左目用画像データが出力されるときに前記第１の光源を点灯させ、前記表示パネルに右目用画像データが出力されるときに前記第２の光源を点灯させる第２の光源制御を行う制御工程と、
前記表示パネルに出力される画像データを補正する画像補正工程と、
前記記憶手段に記憶された、前記第１の光源の発光特性と前記第２の光源の発光特性に基づき左目用画像と右目用画像の表示特性のずれを抑制する画質の調整を行うための前記第１の光源に対応する調整値及び前記第２の光源に対応する調整値を取得する工程と、
前記表示パネル及び前記発光手段の回転を検出する検出工程と、
を有し、
前記制御工程では、前記検出工程により前記表示パネル及び前記発光手段の回転が検出された場合に、前記第１の光源制御と前記第２の光源制御を切り替え、
前記画像補正工程では、前記制御工程で前記第１の光源を点灯させる場合、前記表示パネルに出力される画像データに対し前記第１の光源に対応する調整値に基づく補正を行い、前記制御工程で前記第２の光源を点灯させる場合、前記表示パネルに出力される画像データに対し前記第２の光源に対応する調整値に基づく補正を行う画像表示装置の制御方法である。
本発明の１つの態様は、
表示パネルと、
前記表示パネルに向けて照明光を出射する第１の光源及び第２の光源を備える発光手段と、
記憶手段と、
前記表示パネル及び前記発光手段を左右方向の軸周りに回転させる回転機構と、
を備えた画像表示装置の制御方法であって、
前記表示パネルに、観察者が右目で観察するための右目用画像データからなる第１フィールドと左目で観察するための左目用画像データからなる第２フィールドとを交互に出力する画像出力工程と、
第１フィールドの出力時に前記第１の光源を点灯させ、第２フィールドの出力時に前記第２の光源を点灯させる第１の光源制御、又は、第１フィールドの出力時に前記第２の光源を点灯させ、第２フィールドの出力時に前記第１の光源を点灯させる第２の光源制御を行う制御工程と、
前記表示パネルに出力される画像データを補正する画像補正工程と、
前記記憶手段に記憶された、前記第１の光源の発光特性と前記第２の光源の発光特性に基づき左目用画像と右目用画像の表示特性のずれを抑制する画質の調整を行うための前記第１の光源に対応する調整値及び前記第２の光源に対応する調整値を取得する工程と、
前記表示パネル及び前記発光手段の回転を検出する検出工程と、
を有し、
前記制御工程では、前記検出工程により前記表示パネル及び前記発光手段の回転が検出された場合に、前記第１の光源制御と前記第２の光源制御を切り替え、
前記画像補正工程では、前記制御工程で前記第１の光源を点灯させる場合、前記表示パネルに出力される画像データに対し前記第１の光源に対応する調整値に基づく補正を行い、前記制御工程で前記第２の光源を点灯させる場合、前記表示パネルに出力される画像データに対し前記第２の光源に対応する調整値に基づく補正を行う画像表示装置の制御方法である。 
【発明の効果】
【００１８】
本発明の画像表示装置及びその制御方法によれば、左目用映像と右目用映像の色度ずれを抑え、高画質な立体映像表示を行うことができる。
【図面の簡単な説明】
【００１９】
【図１】本実施例における撮像装置の構成を示すブロック図
【図２】撮像装置の外観斜視図
【図３】映像信号の信号処理部を示すブロック図
【図４】反転状態での点灯発光素子と表示映像を表す図
【図５】反転状態での点灯タイミングと映像表示を示す図
【図６】バックライトの時分割方式ＬＣＤの側面図
【図７】正転状態での点灯発光素子と表示映像を表す図
【図８】正転状態での点灯タイミングと映像表示を示す図
【発明を実施するための形態】
【００２０】
以下に、本発明の好ましい実施の形態を、添付の図面に基づいて詳細に説明する。以下、本発明の実施例による撮像装置の構成について説明する。図２は、本発明の実施の形態に係る撮像装置の外観斜視図である。図２（Ａ）において、ビデオカメラ本体２０１は、レンズ２０２やＣＣＤ（図示せず）などの撮像手段を内蔵し映像音声信号の記録再生が可能な撮像装置である。レンズ２０２は、立体映像を撮影するためのレンズ部であり、右目用映像を撮影する第１のレンズ２０２Ｒ、左目用映像を撮影する第２のレンズ２０２Ｌがある。なお、本実施例ではビデオカメラとしたが、映像信号の記録再生が可能なものであればデジタルスチルカメラなどであってもよい。
【００２１】
ＬＣＤパネル１０９は、ビデオカメラ本体２０１に対して回動自在に設けられ再生映像や撮像映像を表示可能な画像表示装置である。ＬＣＤパネル１０９は、背面にバックライト３０２を備えたバックライト方式のＬＣＤパネルである。回転機構であるヒンジ部３０３により、ＬＣＤパネル１０９は、ビデオカメラ本体２０１に対して回動自在に保持され、ＬＣＤパネル１０９は矢印Ａ方向に開閉自在であるとともに、矢印Ｂ方向に回転自在となっている。矢印Ｂ方向の回転は、バックライト３０２及びＬＣＤパネル１０９の左右方向の回転軸周りの回転を表す。
【００２２】
図１は本発明の実施の形態における画像表示装置の構成を示すブロック図である。ＬＣＤドライブ回路１０８は、制御マイコン１０１からの制御により、入力される映像信号を液晶パネルであるＬＣＤパネル１０９に表示させるよう制御する。ＬＣＤパネル１０９への映像表示のＯＮ／ＯＦＦは、制御マイコン１０１により制御される。制御マイコン１０１はＬＣＤパネル１０９に対し画像出力を行う。また、制御マイコン１０１から電源回路１０４に制御信号が入力され、この電源回路１０４の電圧が上昇することにより、バックライト３０２の照度が上がる。ＬＣＤパネル１０９及びバックライト３０２は、バックライト時分割方式の立体映像表示装置を構成する。すなわち、ＬＣＤパネル１０９は観察者が右目で観察するための右目用画像データと左目で観察するための左目用画像データとを交互に表示する。ＬＣＤパネル１０９における表示映像の切り替えに同期してバックライト３０２からの照射光の指向性が右目方向と左目方向とに切り替えられる。
【００２３】
バックライト３０２は、第１の光源である第１のＬＥＤ１０６と第２の光源である第２のＬＥＤ１０７を備える。バックライト３０２は、ＬＣＤパネル１０９の背面に配置される。バックライト３０２は、一方の光源が点灯した場合に、ＬＣＤパネル１０９に対面する観察者の右目の方向に出射光強度のピークが存在する指向性をもった第１の照明光をＬＣＤパネル１０９に向けて出射する。バックライト３０２は、他方の光源が点灯した場合に、ＬＣＤパネル１０９に対面する観察者の左目の方向に出射光強度のピークが存在する指向性をもった第２の照明光をＬＣＤパネル１０９に向けて出射する。ＬＥＤ切替スイッチ１０５は、第１のＬＥＤ１０６及び第２のＬＥＤ１０７の点灯及び消灯を制御するバックライト制御手段である。ＬＥＤ切替スイッチ１０５は、第１のＬＥＤ１０６のみ点灯、第２のＬＥＤ１０７のみ点灯、又は第１のＬＥＤ１０６と第２のＬＥＤ１０７を同時に点灯することを切替える。開閉検出スイッチ１０２は、ＬＣＤパネル１０９が図２（Ｂ）の
矢印Ａ方向に開閉したことを検出し、回転検出スイッチ１０３は、ＬＣＤパネル１０９が図２（Ｂ）の矢印Ｂ方向に回転したことを検出する。回転検出スイッチ１０３は、ＬＣＤパネル１０９及びバックライト３０２の左右方向の回転軸周りの回転位置が所定の正転位置と正転位置に対し１８０度回転した反転位置とのいずれであるかを検出する。
【００２４】
図３は制御マイコン１０１において、ＬＣＤパネル１０９に出力する映像信号に対し信号処理を行う信号処理部を示すブロック図である。ＬＣＤパネル信号処理回路４０２はＬＣＤパネル１０９に出力する映像信号に対し、ホワイトバランスの補正、ブライト、コントラスト、ガンマなどの画像補正を行う。映像フィールド判別部４０１は映像の奇数フィールド、偶数フィールドを判別し、判別した結果を映像フィールド情報としてＬＣＤパネル信号処理回路４０２に送る。調整値格納メモリ４０５はＬＣＤパネル１０９の画質調整値を格納しているメモリである。第１のＬＥＤ用ＷＢ調整値４０３は第１のＬＥＤ１０６が点灯したときにＬＣＤパネル１０９を最適なホワイトバランスにする調整値である。第２のＬＥＤ用ＷＢ調整値４０４は第２のＬＥＤ１０７が点灯したときにＬＣＤパネル１０９を最適なホワイトバランスにする調整値である。
【００２５】
以上のように構成された撮像装置の動作について説明する。まず、図２においてビデオカメラ本体２０１は、レンズ２０２を介して入射される被写体の光信号を、内蔵されたＣＣＤにより電気信号に変換して映像信号を得る。映像信号は信号処理回路で各種信号処理が施され、ＬＣＤパネル１０９に表示される。一方でユーザが録画ボタン３０１を押すことで、ビデオカメラ本体２０１は、内部に装填された記録媒体に映像信号及び音声信号を記録される。静止画像データ、動画像データ等のデータを格納する記録媒体は、ハードディスク、固体磁気ディスクメモリ、光磁気ディスクメモリ、光ディスクメモリ等のディスクメディアを例示できる。また、ＳＤＲＡＭ、ＤＲＡＭ等の固体半導体メモリで構成されるランダムアクセスが可能な種々の媒体であっても良い。
【００２６】
ビデオカメラ本体２０１には撮影中の映像や再生した映像を表示するためのＬＣＤパネル１０９が設けられており、このＬＣＤパネル１０９はヒンジ部３０３によって、図２（Ｂ）の矢印Ａ方向に開閉自在及び矢印Ｂ方向に回転自在に配されている。ＬＣＤパネル１０９は、撮影者側に向いた通常撮影状態と、被写体側つまりレンズ２０２と同方向を向いた対面撮影状態とに回転自在となっている。ＬＣＤパネル１０９が通常撮影状態であるときにＬＣＤパネル１０９に表示される映像の状態を以下「正転状態」という。
【００２７】
図２（Ｂ）の状態の通常撮影状態から矢印Ａ方向にＬＣＤパネル１０９を閉じた状態である通常収納状態では、ＬＣＤパネル１０９の表示はオフされる。図２（Ｂ）の状態から矢印Ｂ方向にＬＣＤパネル１０９を回転させてレンズ２０２と同方向にした対面撮影状態では、ＬＣＤパネル１０９の表示は、正転状態に対し上下左右反転する。対面撮影状態から矢印Ａ方向にＬＣＤパネル１０９を閉じた状態である反転収納状態では、ＬＣＤパネル１０９の表示はオンのままである。かつ、ＬＣＤパネル１０９に出力される画像データは正転状態の場合にＬＣＤパネル１０９に出力される画像データに対し上下方向及び左右方向を反転させたものになる（この状態を以下「反転状態」という）。
【００２８】
＜正転状態＞
次に、本発明の実施例におけるＬＣＤパネル１０９のホワイトバランス調整制御方法について説明する。まず開閉検出スイッチ１０２がＬＣＤパネル１０９の開状態を検出し、回転検出スイッチ１０３がＬＣＤパネル１０９の対面撮影状態への回転を検出していない、通常撮影状態の場合について説明する。この場合、ＬＣＤパネル１０９における映像表示は正転状態である。
【００２９】
図７は、ＬＣＤパネル１０９における映像表示が正転状態の場合のバックライトの発光
素子（ＬＥＤ）の点灯タイミングと表示映像を表した図である。正転状態では、第１のＬＥＤ１０６が右目用発光素子となり、第２のＬＥＤ１０７が左目用発光素子となる。従って、ＬＣＤパネル１０９に右目用映像が表示される偶数フィールドでは、第１のＬＥＤ１０６が点灯し、第２のＬＥＤ１０７が消灯する。ＬＣＤパネル１０９に左目用映像が表示される奇数フィールドでは、第１のＬＥＤ１０６が消灯し、第２のＬＥＤ１０７が点灯する。図７に関する詳細な説明は「背景技術」の項で既述のため、ここでは省略する。
【００３０】
ＬＣＤパネル信号処理回路４０２は映像フィールド判別部４０１より送られてくる映像フィールド情報により表示映像信号が偶数フィールドか奇数フィールドかを判断する。表示映像信号が偶数フィールドの場合、ＬＣＤパネル信号処理回路４０２は、調整値格納メモリ４０５より第１のＬＥＤ用ＷＢ調整値４０３を呼び出し、表示映像信号（右目用映像）に対しホワイトバランス調整を行う。表示映像信号が奇数フィールドの場合、ＬＣＤパネル信号処理回路４０２は、調整値格納メモリ４０５より第２のＬＥＤ用ＷＢ調整値４０４を呼び出し、表示映像信号（左目用映像）に対しホワイトバランス調整を行う。
【００３１】
＜反転状態＞
次に、ＬＣＤパネル１０９の映像表示が反転状態になる２つの場合について説明する。１つは、開閉検出スイッチ１０２がＬＣＤパネル１０９の開状態を検出し、回転検出スイッチ１０３がＬＣＤパネル１０９の対面撮影状態への回転を検出した場合である。もう１つは、開閉検出スイッチ１０２がＬＣＤパネル１０９の閉状態を検出し、回転検出スイッチ１０３がＬＣＤパネル１０９の対面撮影状態への回転を検出した場合（反転収納状態）である。
【００３２】
図４は、ＬＣＤパネル１０９における映像表示が反転状態の場合のバックライトの発光素子（ＬＥＤ）の点灯タイミングと表示映像を示した図である。
【００３３】
図４（Ａ）は、表示映像信号が偶数フィールド時の点灯発光素子と表示映像を表す図である。ここで、破線が立体映像として観察される映像を表しており、実線が右目用映像を表しており、右目用映像には被写体の右側面が表示される。偶数フィールドでは、レンズ部２０２の第１のレンズ２０２Ｒによって撮影された右目用映像が表示され、第１のＬＥＤ１０６が消灯し、第２のＬＥＤ１０７は点灯している。対面撮影状態又は反転収納状態のＬＣＤパネル１０９に向かって左側に配置されている第２のＬＥＤ１０７が点灯すると、出射光強度のピークが右目方向に傾いた指向性を持つことになる（図６参照）。つまり、偶数フィールドでは、ＬＣＤパネル１０９に出力されている右目用の映像が観察者の右目により観察されることになる。
【００３４】
図４（Ｂ）は、表示映像信号が奇数フィールド時の点灯発光素子と表示映像を表す図である。ここで、破線が立体映像として観察される映像を表しており、実線が左目用映像を表しており、左目用映像には被写体の左側面が表示される。奇数フィールドでは、レンズ部２０２の第２のレンズ２０２Ｌによって撮影された左目用映像が表示され、第１のＬＥＤ１０６が点灯し、第２のＬＥＤ１０７は消灯している。対面撮影状態又は反転収納状態のＬＣＤパネル１０９に向かって右側に配置されている第１のＬＥＤ１０６が点灯すると、出射光強度のピークが左目方向に傾いた指向性を持つことになる（図６参照）。つまり、奇数フィールドでは、ＬＣＤパネル１０９に出力されている左目用の映像が観察者の左目により観察されることになる。
【００３５】
図５は、ＬＣＤパネル１０９における映像表示が反転状態の場合の、バックライト３０２の右目用及び左目用の各発光素子の点灯タイミングと、ＬＣＤパネルに表示される映像との対応関係を表した図である。なお、既述の図８は、ＬＣＤパネル１０９における映像表示が正転状態の場合の、バックライト３０２の右目用及び左目用の各発光素子の点灯タ
イミングと、ＬＣＤパネルに表示される映像との対応関係を表した図である。
【００３６】
図５において、１フレーム目の偶数フィールドの映像は右目用映像であり、奇数フィールドの映像は左目用映像である。図５において、１Ｒは１フレーム目の右目用映像、１Ｌは１フレーム目の左目用映像を表す。偶数フィールド時には、映像は右目用が表示され、第２のＬＥＤ１０７が点灯し、奇数フィールド時には、映像は左目用が表示され、第１のＬＥＤ１０６が点灯している。このように、第１のＬＥＤ１０６及び第２のＬＥＤ１０７の右目用及び左目用への割り当てをＬＣＤパネル１０９の表示映像が正転状態の場合に対して反転させることで、ＬＣＤパネル１０９の表示映像が反転状態の場合でも立体映像の表示が可能となる。
【００３７】
ＬＣＤパネル信号処理回路４０２は映像フィールド判別部４０１より送られてくる映像フィールド情報により表示映像信号が偶数フィールドか奇数フィールドかを判断する。表示映像信号が偶数フィールドの場合、ＬＣＤパネル信号処理回路４０２は、調整値格納メモリ４０５より第２のＬＥＤ用ＷＢ調整値４０４を呼び出し、表示映像信号（右目用映像）に対しホワイトバランス調整を行う。表示映像信号が奇数フィールドの場合、ＬＣＤパネル信号処理回路４０２は、調整値格納メモリ４０５より第１のＬＥＤ用ＷＢ調整値４０３を呼び出し、表示映像信号（左目用映像）に対しホワイトバランス調整を行う。
【００３８】
このように、本実施例の撮像装置によれば、第１のＬＥＤ１０６と第２のＬＥＤ１０７の点灯が切り替わるタイミングに同期して、ＬＣＤパネル１０９に出力する映像信号に対して適用するホワイトバランス調整値を切り替える。そのため、左目用映像と右目用映像の色度ずれが抑制され、高画質な立体映像を表示することができる。また、ＬＣＤパネル１０９における映像表示が正転状態か反転状態かに応じて、右目用映像の照射に用いる発光素子と左目用映像の照射に用いる発光素子を切り替えるので、ＬＣＤパネル１０９の回転状態によらず高画質な立体映像を表示することができる。
【００３９】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。例えば、実施例はビデオカメラのモニタに対して本発明の表示装置を適用した例であるが、本発明の表示装置は液晶テレビやポータブルメディアプレーヤなどの種々の立体映像表示装置に適用可能である。液晶テレビに適用する場合、ＬＣＤパネルにおける映像表示状態は、常に上記実施例における正転状態であるとして、上記実施例における正転状態・反転状態の検知や状態に応じた処理の切り替えに関する事項は省略しても良い。ポータブルメディアプレーヤに適用する場合、プレーヤに内蔵された傾きセンサ等により正転状態か反転状態かの検知を行うようにしても良い。また、第１のＬＥＤと第２のＬＥＤとの各々の発光特性に基づく画像データの補正として、特にホワイトバランス調整を例示したが、輝度やガンマその他のＬＥＤの発光特性によるばらつきが生じる得る種々の画質調整にも本発明は適用可能である。
【符号の説明】
【００４０】
１０１：制御マイコン、１０５：ＬＥＤ切替スイッチ、１０６：バックライト第１ＬＥＤ、１０７：バックライト第２ＬＥＤ、１０８：ＬＣＤドライブ回路、１０９：ＬＣＤパネル、４０２：ＬＣＤパネル信号処理回路
【図１】
0005787654.tif 000002
【図２】
0005787654.tif 000003
【図３】
0005787654.tif 000004
【図４】
0005787654.tif 000005
【図５】
0005787654.tif 000006
【図６】
0005787654.tif 000007
【図７】
0005787654.tif 000008
【図８】
0005787654.tif 000009